(57)【要約】【課題】  外観仕上りがきわめて良好なタイル施工面を簡便な施工法によって得ることができるタイル施工法を提供する。【解決手段】  方形のタイル７の表面に、該タイルの１対の平行な辺と平行な凹条９が設けられると共に、少なくとも該辺の全長にわたってタイル表側の辺縁部に切欠形状部８を設けてなるタイルの施工方法であって、複数枚の該タイル７を互いに突き付けて下地面４に張り付け施工した後、該凹条９及び切欠形状部８に目地材料を好ましくは塗り目地法により充填するタイル施工法。切欠形状部８の目地材２は下地４から離隔している。【選択図】  図１
2006312875.tif 000002
【特許請求の範囲】
【請求項１】
タイルの表面に凹条が設けられると共に、タイル表側の周縁部の少なくとも一部に切欠形状部を設けてなるタイルの施工方法であって、
複数枚の該タイルを互いに突き付けて下地面に張り付け施工した後、該凹条及び切欠形状部に目地材料を充填することを特徴とするタイル施工法。
【請求項２】
請求項１において、前記切欠形状部と前記凹条とに同一の目地材料を充填することを特徴とするタイル施工法。
【請求項３】
請求項１又は２において、塗り目地法によって前記目地材料の充填を行うことを特徴とするタイル施工法。
【請求項４】
請求項１ないし３のいずれか１項において、該タイルは方形のタイルであり、該凹条は該タイルの一辺と略平行に設けられており、該切欠形状部は少なくとも該辺の全長にわたって設けられていることを特徴とするタイル施工法。
【請求項５】
請求項１ないし３のいずれか１項において、該タイルは方形のタイルであり、該凹条は該タイルの一辺と交叉方向に設けられており、該切欠形状部は該タイルの全周縁部にわたって設けられていることを特徴とするタイル施工法。
【請求項６】
請求項１ないし３のいずれか１項において、該タイルは非方形の異形タイルであり、該切欠形状部は該タイルの全周縁部にわたって設けられていることを特徴とするタイル施工法。
【請求項７】
タイルの表面に凹条が設けられると共に、タイル表側の周縁部の少なくとも一部に切欠形状部を設けてなるタイルの施工構造であって、
複数枚の該タイルが互いに突き付けられて下地面に張り付けられ、該凹条及び切欠形状部に目地材料が充填されていることを特徴とするタイル施工構造。
【請求項８】
請求項７において、前記切欠形状部と前記凹条とに同一の目地材料が充填されていることを特徴とするタイル施工構造。
【請求項９】
請求項７又は８において、該タイルは方形のタイルであり、該凹条は該タイルの一辺と略平行に設けられており、該切欠形状部は少なくとも該辺の全長にわたって設けられていることを特徴とするタイル施工構造。
【請求項１０】
請求項７又は８において、該タイルは方形のタイルであり、該凹条は該タイルの一辺と交叉方向に設けられており、該切欠形状部は該タイルの全周縁部にわたって設けられていることを特徴とするタイル施工構造。
【請求項１１】
請求項７又は８において、該タイルは非方形の異形タイルであり、該切欠形状部は該タイルの全周縁部にわたって設けられていることを特徴とするタイル施工構造。
【発明の詳細な説明】
【技術分野】
【０００１】
本発明はタイル施工法及び構造に係り、特に目地とそれに平行な線状模様を有したタイル施工面を形成するタイル施工法及び構造に関する。
【背景技術】
【０００２】
タイルを壁面や床面に張り付け施工する場合、タイル同士の間に所定の目地間隔をあけてタイルをモルタルや接着剤で張り付けた後、塗り目地法によって目地詰めすることが多い。
【０００３】
第４図（ａ）はこのような塗り目地法によって施工されたタイル壁面を示す正面図、第４図（ｂ）は第４図（ａ）のＢ−Ｂ線に沿う断面図である。接着剤３やモルタルなどを介して上下左右に規則的にタイル１が下地４に張り付けられ、タイル１同士の間に目地材２が充填されている。
【０００４】
なお、塗り目地法とはスラリー状の目地材料をタイル張り付け面の全面に塗布して塗り伸ばし、目地に充填した後、タイル表面の目地材料を拭き取るようにした目地充填方法である。
【０００５】
このような方形のタイルを塗り目地法によって施工した構造にあっては、目地がタイル同士の間にのみ現われることになり、意匠のバリエーションが制限される。タイルを小さくすれば目地の条数を増やすことができるが、タイル張り付けの手間がかかり施工能率がかなり悪くなる。
【０００６】
このような問題に対処するために、第５図に示すように、１つの辺に平行な凹条５を有するタイル６を下地４に張り付けて塗り目地することが考えられる。このタイル６を用いれば、目地材２はタイル６同士の目地間隙だけでなく凹条５にも充填されるので、タイルを小形化することなく目地の条数を増やすことができ、タイル張り付けの手間も増えない。なお、第５図（ｃ）はこのタイル６の斜視図、第５図（ａ）はこのタイル６を下地４に張り付けた（塗り目地前の）斜視断面図、第５図（ｂ）は塗り目地後の斜視断面図である。
【発明の開示】
【発明が解決しようとする課題】
【０００７】
第５図のようにタイル張り施工した壁又は床においては、タイル６間の目地間隙に充填された目地材２（２ａ）中の水分が下地４に吸収され易いのに対し、凹条５に充填された目地材２（２ｂ）はタイル６には殆ど又は全く吸収されないので、目地材２ａ，２ｂで色合いに差異が生じ、外観上の違和感が生じることがある。
【０００８】
本発明は、条数の多い目地を容易に形成でき、しかも仕上り外観もきわめて良好なタイル施工法及び構造を提供することを目的とする。
【課題を解決するための手段】
【０００９】
本発明のタイル施工法は、タイルの表面に凹条が設けられると共に、タイル表側の周縁部の少なくとも一部に切欠形状部を設けてなるタイルの施工方法であって、複数枚の該タイルを互いに突き付けて下地面に張り付け施工した後、該凹条及び切欠形状部に目地材料を充填することを特徴とするものである。
【００１０】
本発明のタイル施工構造は、タイルの表面に凹条が設けられると共に、タイル表側の周縁部の少なくとも一部に切欠形状部を設けてなるタイルの施工構造であって、複数枚の該タイルが互いに突き付けられて下地面に張り付けられ、該凹条及び切欠形状部に目地材料が充填されていることを特徴とするものである。
【００１１】
かかる本発明方法によって施工された壁又は床等のタイル施工構造にあっては、目地材料がタイルの凹条と各タイル同士の間の切欠形状部に充填されて目地が形成されるので、タイルを小形化することなく目地の条数が多いものとなる。
【００１２】
また、タイル同士の間の切欠形状部に充填された目地は、下地には連続しない。即ち、本発明方法にあっては、タイルの側面同士が突き付けられているので、切欠形状部に充填された目地材料はタイル同士の間の隙間（突き合わされた端面同士の間の隙間）に入り込むことがなく、切欠形状部のみに止まる。このように切欠形状部のみに充填された目地は、下地によって水分が吸収されることがないので、切欠形状部と凹条とに同色好ましくは同一の目地を充填することにより、切欠形状部の目地と凹条の目地とが確実に同色となり、仕上り外観がきわめて良好なものとなる。
【００１３】
この目地詰めは塗り目地法によるのが好ましい。
【００１４】
なお、本発明に係るタイルは、具体的には次のような構成とすることができる。
【００１５】
(1)  方形のタイルの表面に、該タイルの一辺と略平行に凹条が設けられ、該タイルの少なくとも該辺の全長にわたって切欠形状部が設けられているタイル。
【００１６】
(2)  方形のタイルの表面に、該タイルの一辺と交叉方向に凹条が設けられ、該タイルの全周縁部にわたって切欠形状部が設けられているタイル。
【００１７】
(3)  非方形の異形タイルの表面に凹条が設けられ、該タイルの全周縁部にわたって切欠形状部が設けられているタイル。
【発明の効果】
【００１８】
本発明によると、外観仕上りがきわめて良好なタイル施工面を簡便な施工法によって得ることができる。
【発明を実施するための最良の形態】
【００１９】
以下、図面を参照して実施の形態について説明する。
【００２０】
第２図は実施の形態に係るタイル施工法および構造に用いられるタイルの斜視図、第１図はこのタイルの施工法の説明図であり、（ａ）図はタイル施工面の正面図、第１図（ｂ）は第１図（ａ）のＢ−Ｂ線に沿う断面図、第１図（ｃ）は第１図（ｂ）のＣ部分の拡大図、第１図（ｄ）は目地充填後の第１図（ｃ）と同一部分の断面図である。なお、第１図（ｂ），（ｃ）では目地材料の図示が省略されている。また、第１図（ａ）のハッチを付した部分は１枚のタイルの大きさを示している。
【００２１】
このタイル７は、１枚の平行な辺に切欠形状部８が設けられ、表面にこの辺と平行な凹条９が複数条設けられている。凹条９はタイル７の一方の端辺から他方の端辺にまで連続している。なお、この切欠形状部８は斜めの面取り状となっているが、略Ｌ形に切り欠いた形状であってもよい。また、凹条９は逆台形断面形状となっているが、Ｕ字形、Ｖ字形など他の形状であってもよい。
【００２２】
このタイル７を床や壁の下地４に対し、接着剤３又はモルタルを介して張り付ける。この際、各タイル７を突き付ける。即ち、隣接するタイル７の側面同士を当接させる。
【００２３】
次いで、塗り目地法により目地材２を充填する。これにより、すべての切欠形状部８及び凹条９に目地材２が充填される。切欠形状部８及び凹条９内の目地材２はタイル９には全く又は殆ど水分が吸収されない。また、切欠形状部８の目地材２は下地４から離隔しており、該下地４によって吸水されることがない。従って、切欠形状部８の目地と凹条９の目地とは全くの同色となる。しかも、第１図から明らかな通り、タイル枚数を増やすことなく多数条の目地が形成され、各目地が同色であることから、きわめて良好な外観仕上りとなる。
【００２４】
なお、第３図は逆台形形状の凹条１１と、該凹条１１を半分にした略Ｌ形の切欠形状部１２を設けたタイル１０を用いた実施の形態を示す斜視断面図であり、（ａ）図は目地充填前を示し、（ｂ）図は目地材２の充填後の状態を示している。この実施の形態においても同様にきわめて良好な外観仕上りを得ることができる。
【００２５】
上記実施の形態にあっては、１対の平行辺にのみ切欠形状部を設けているが、１つの辺にのみ切欠形状部を設けてもよく、タイルの３辺に切欠形状部を設けてもよい。また、タイルの４辺すべてに切欠形状部を設けてもよい。また、凹条数は図示のものに限定されない。凹条は図示のように一方向にのみ設けるのではなく、直交状に交叉して設けられてもよい。
【００２６】
上記実施の形態にあっては、方形のタイルの表面にタイルの一辺と略平行な凹条が設けられたタイルを例示したが、第６図及び第７図に示す如く、凹条はタイルの一辺と交叉方向に設けられていてもよく、また、タイルは非方形の異形タイルであってもよい。
【００２７】
即ち、第６図（ａ）は方形のタイル２０の表面に、タイルの４辺とは交叉する方向に、複数の凹条２１が不規則的に設けられ、タイル２０の全周縁部に切欠形状部２２が設けられたものであり、このようなタイル２０を用いても、第６図（ｂ）に示す如く、本発明に従ってタイル２０を下地面に張り付けた後、凹条２１と切欠形状部２２に目地材２を充填することにより、良好なタイル施工面を形成することができる。なお、第６図（ｂ）は第６図（ａ）のタイルを用いたタイル施工面の正面図であり、ハッチを付した部分は一枚のタイルの大きさを示している。
【００２８】
また、第７図（ａ）は非方形の異形タイル３０の表面に、互いに交叉する複数の凹条３１が不規則的に設けられ、タイル３０の全周縁部に切欠形状部３２が設けられたものであり、このようなタイル３０を用いても、第７図（ｂ）に示す如く、本発明に従ってタイル３０を下地面に張り付けた後、凹条３１と切欠形状部３２に目地材２を充填することにより、良好なタイル施工面を形成することができる。なお、第７図（ｂ）は第７図（ａ）のタイルを用いたタイル施工面の正面図であり、ハッチを付した部分は一枚のタイルの大きさを示している。
【００２９】
このような第６図，第７図のタイル施工面であれば、趣向豊かで意匠性に優れたタイル施工面を容易に形成することができる。
【図面の簡単な説明】
【００３０】
【図１】（ａ）図はタイル施工面の正面図、（ｂ）図は（ａ）図のＢ−Ｂ線に沿う断面図、（ｃ）図は（ｂ）図のＣ部分の拡大図、（ｄ）図は目地充填後の（ｃ）図と同一部分の断面図である。
【図２】実施の形態に係るタイル施工法に用いられるタイルの斜視図である。
【図３】別の実施の形態を示す断面斜視図である。
【図４】従来例を示す説明図である。
【図５】凹条を有したタイルの施工例を示す説明図である。
【図６】（ａ）図は別の実施の形態に係るタイル施工法に用いられるタイルの平面図、（ｂ）図は（ａ）図のタイルを用いたタイル施工面の正面図である。
【図７】（ａ）図は異なる実施の形態に係るタイル施工法に用いられるタイルの平面図、（ｂ）図は（ａ）図のタイルを用いたタイル施工面の正面図である。
【符号の説明】
【００３１】
１，５，７，１０，２０，３０  タイル
２  目地材
３  接着剤
４  下地
６，９，１１，２１，３１  凹条
８，１２，２２，３２  切欠形状部
【図１】
2006312875.tif 000003
【図２】
2006312875.tif 000004
【図３】
2006312875.tif 000005
【図４】
2006312875.tif 000006
【図５】
2006312875.tif 000007
【図６】
2006312875.tif 000008
【図７】
2006312875.tif 000009